(57)【特許請求の範囲】
【請求項１】
被写体画像を取り込んで画像情報に変換する撮影ステップと、
該画像情報をメディアに記録し、かつ該画像情報の撮影日の情報を、該画像情報とは別に該画像情報の付帯情報として該メディアに記録する記録ステップと、
該画像情報に対し、該メディアから読み出した撮影日の情報、および該画像情報を回転する回転角度の情報を、該画像情報および該付帯情報とは別に、該画像情報と対応させて、該メディアに記録することにより、該画像情報を編集する編集ステップと、
を備えることを特徴とする撮影および編集方法。
【請求項２】
請求項１において、
前記記録ステップにおいて、前記付帯情報としてさらに、該画像情報を識別する写真番号の情報を前記メディアに記録し、
前記編集ステップにおいて、前記メディアから読み出した該写真番号の情報を、前記回転角度の情報とともに前記メディアに記録すること、
を特徴とする撮影および編集方法。
【請求項３】
請求項１または２において、
前記編集ステップにおいて、該画像情報に対してユーザが入力したコメントの情報を、前記回転角度の情報とともに前記メディアに記録すること、
を特徴とする撮影および編集方法。
【請求項４】
被写体画像を取り込んで画像情報に変換する撮影手段と、
該画像情報をメディアに記録し、かつ該画像情報の撮影日の情報を、該画像情報とは別に該画像情報の付帯情報として該メディアに記録する記録手段と、
該画像情報に対し、該メディアから読み出した撮影日の情報、および該画像情報を回転する回転角度の情報を、該画像情報および該付帯情報とは別に、該画像情報と対応させて、該メディアに記録することにより、該画像情報を編集する編集手段と、
を備えることを特徴とする撮影および編集装置。
【請求項５】
請求項４において、
前記記録手段は、前記付帯情報としてさらに、該画像情報を識別する写真番号の情報を前記メディアに記録し、
前記編集手段は、前記メディアから読み出した該写真番号の情報を、前記回転角度の情報とともに前記メディアに記録すること、
を特徴とする撮影および編集装置。
【請求項６】
請求項４または５において、
前記編集手段は、該画像情報に対してユーザが入力したコメントの情報を、前記回転角度の情報とともに前記メディアに記録すること、
を特徴とする撮影および編集装置。
【発明の詳細な説明】
【技術分野】
【０００１】
本願発明はフィルムを用いず、半導体メモリ、磁気ディスク等の記憶素子に電子的に画像を記録する画像記録再生装置およびその方法に関する。
【背景技術】
【０００２】
通常、写真は銀塩フィルムを用いて撮影される。撮影されたフィルムは、現像され、さらに印画紙に焼付けられて、鑑賞の対象となる。
【０００３】
一方、近年電子スチルカメラが実用化されつつある。これはフィルムを用いず、半導体メモリ、磁気ディスク等の記憶素子に電子的に画像を記録する。再生は、外部のＴＶ画面で行ったり、またコンピュータに転送して、ＤＴＰ（デスクトップパブリシング）を行うこともできる。
【発明の開示】
【発明が解決しようとする課題】
【０００４】
個人が手にする写真の枚数は、近年急速に増加している。個人でも年間数十枚、家族単位では数百枚のオーダーにのぼる。新婚、あるいは子どもが生まれた家庭、また海外旅行に行った場合などは、特に写真を撮影する機会が多く、年間５００枚近くになることもある。
【０００５】
これらの写真を整理して保存するのは、かなり面倒な作業である。そのためポケット式アルバムにただ挿入しただだけであったり、そのままバラバラに保存されているものが大部分である。そうなると、見たい写真があってもそれを捜し出すのが大変であり、バラバラに保存されている場合、紛失してしまう恐れもある。
【０００６】
写真を整理保存するためには、通常、台紙に写真を張り付けるタイプのアルバムが用いられている。写真をテーマ別に分けたり、コメントを付けたりすることもできる。しかしながらアルバムに整理保存するには、その編集、整理作業にかなりの労力を要する。すなわち、写真を分類し、ならべ直し、台紙上にバランス良く配置する。さらに、日付や場所などのコメントをつける。写真を撮る度にこの作業を行えばさほど苦にならないかもしれないが、一度未整理の写真がたまってしまうと、整理するのが面倒になってしまう。写真自体も、うまく撮れていない場合も多い。すなわち、ピントがぼけていたり、露出があっていなかったりし、無駄になってしまうものも多い。
【０００７】
本研究の目的は、以上のような問題点に対して、容易に写真画像を整理保存ができ、また表示して鑑賞に提することのできる画像記録再生装置及びその方法を提供することにある。
【課題を解決するための手段】
【０００８】
上記目的は、特許請求の範囲に記載の発明により達成される。
【発明の効果】
【０００９】
以上説明してきたように、本発明によれば、容易に写真画像の整理保存ができ、また写真画像を表示して鑑賞に提することのできる画像記録再生装置を提供することができる。また写真画像の撮影の失敗を少なくすることのできる画像記録再生装置を提供することができる。
【発明を実施するための最良の形態】
【００１０】
第１の実施例では、写真画像の撮影された日付、時刻を付帯情報として写真画像情報に付与する手段を画像撮影部に設けた。さらに、この付帯情報に基づいて、画像保存表示部において分類表示を行う。
【００１１】
第２の実施例では、画像撮影部に撮像部の姿勢検出部を設け、写真画像の撮影時の撮像部の姿勢を付帯情報として写真画像情報に付与する手段を画像撮影部に設けた。さらに、この付帯情報に基づいて、画像保存表示部において画像を表示させる方向を変化させる。
【００１２】
第３の実施例では、画像撮影部に撮影場所入力部を持ち、写真画像の撮影場所を付帯情報として写真画像情報に付与する手段を画像撮影部に設けた。さらに、この付帯情報に基づいて、画像保存表示部において分類表示を行う。
【００１３】
第４の実施例では、画像撮影部に撮影者入力部を持ち、写真画像の撮影者を付帯情報として写真画像情報に付与する手段を画像撮影部に設けた。さらに、この付帯情報に基づいて、画像保存表示部において分類表示を行う。
【００１４】
第５の実施例では、主たる写真画像の撮影された瞬間の近傍の時間において、副なる写真画像を撮影し、主たる写真画像の付帯情報として主たる写真画像情報に付与する手段を画像撮影部に設けた。さらに画像保存表示部において、この主たる写真画像情報あるいは付帯情報である副なる写真画像情報の中から、所望の画像を選択し表示する。
【００１５】
第６の実施例では、主たる写真画像の撮影された瞬間の近傍の時間において、焦点を変えた副なる写真画像を撮影し、主たる写真画像の付帯情報として主たる写真画像情報に付与する手段を画像撮影部に設けた。さらに画像保存表示部において、この主たる写真画像情報あるいは付帯情報である副なる写真画像情報の中から、所望の画像を選択し表示する。
【００１６】
第７の実施例では、主たる写真画像の撮影された瞬間の近傍の時間において、絞りを変えた副なる写真画像を撮影し、主たる写真画像の付帯情報として主たる写真０画像情報に付与する手段を画像撮影部に設けた。さらに画像保存表示部において、この主たる写真画像情報あるいは付帯情報である副なる写真画像情報の中から、所望の画像を選択し表示する。
【００１７】
第８の実施例では、写真画像の撮影された瞬間の近傍の時間において、撮影場所での音声情報を録音し、写真画像の付帯情報として写真画像情報に付与する手段を画像撮影部に設けた。さらに画像保存表示部において、この写真画像情報を表示する際、付帯情報である音声情報を再生する。
【００１８】
写真画像の撮影時に、写真画像に関する付帯情報を写真画像情報に付与する。この情報は画像撮影部内の記憶部に一時保存された後、画像保存表示部に転送される。画像保存表示部では、写真画像情報および付帯情報を、一度格納する。さらにこの付帯情報データに基づいて、分類表示を行うためのアルバム情報を作成する。表示を行う際には、この付帯情報およびアルバム情報に基づいて、アルバムの形式で分類表示を行う。さらに、表示を行う際には付帯情報に基づいて、表示する形態を変化させる。
写真の整理には、例えば運動会、海外旅行といったテーマ別に分類することが多い。しかしながら、個人あるいは家族を対象としている場合、これらは時系列で分離可能な事象であり、例えば同じ日時に運動会と海外旅行を同時に行うことはない。従って、写真の取られた年月日、あるいは時間の塊で分類すれば、それがテーマ毎の分類となっている。第１の実施例では、写真画像を撮影する毎に、日付、時刻を付帯情報として記録しておく。画像保存表示部では、この付帯情報およびこれから作られたアルバム情報に基づいて、自動的にアルバムの形式で分類表示を行う。
【００１９】
写真画像は、縦横の方向を持つ。アルバムに表示する際には、写真画像が正立するように写真画像の向きを合わせなければならない。第２の実施例では、写真画像の撮影時に、撮像部の姿勢を付帯情報として記録しておく。画像表示部ではこの付帯情報に基づいて、自動的に画像が正立するよう表示する。
【００２０】
第１の実施例では、日付、時刻の付帯情報により分類していたが、さらに撮影場所により分類することも考えられる。第３の実施例では、写真画像の撮影時に、撮影場所を付帯情報として記録しておく。画像保存表示部では、この付帯情報およびこれから作られたアルバム情報に基づいて、自動的にアルバムの形式で分類表示を行う。例えば海外旅行のアルバムを作るには、第１の実施例で海外旅行全体のアルバムを作り、第３の実施例でその中を撮影場所、例えば街ごとに分類することもできる。
【００２１】
家族で取った写真画像が混在しているような場合、撮影者毎に分類して個人個人のアルバムを作ることができる。第４の実施例では、写真画像の撮影時に、撮影者を付帯情報として記録しておく。画像保存表示部では、この付帯情報およびこれから作られたアルバム情報に基づいて、自動的に撮影者ごとに分類されたアルバムの形式で表示を行う。
【００２２】
シャッターを押した瞬間に目をつぶってしまう等、シャッターチャンスを逃してしまうことはよくある。第５の実施例では、シャッターを押す瞬間の前後の写真画像を記憶しておき、付帯情報としてシャッターを押した写真画像情報に付与しておく。画像保存表示部では、シャッターを押した瞬間の写真画像が不備である場合、前後の写真画像から適正なものを選択し、その旨をアルバム情報に記録しておく。次回の表示からは、このアルバム情報に基づいて適正な写真画像の表示を行う。
【００２３】
写真を後でみると、焦点がずれていることはよくある。第６の実施例では、シャッターを押した後、焦点をずらせた写真画像を撮影しておき、付帯情報としてシャッターを押した写真画像情報に付与しておく。画像保存表示部では、シャッターを押した瞬間の写真画像の焦点がずれている場合、焦点をずらせた写真画像から適正なものを選択し、その旨をアルバム情報に記録しておく。次回の表示からは、このアルバム情報に基づいて適正な写真画像の表示を行う。
【００２４】
写真を後でみると、絞りが適正でないことはよくある。第７の実施例では、シャッターを押した後、絞りをずらせた写真画像を撮影しておき、付帯情報としてシャッターを押した写真画像情報に付与しておく。画像保存表示部では、シャッターを押した瞬間の写真画像の絞りが適正でない場合、絞りをずらせた写真画像から適正なものを選択し、その旨をアルバム情報に記録しておく。次回の表示からは、このアルバム情報に基づいて適正な写真画像の表示を行う。
【００２５】
写真は静止画であるが、これに撮影したときの周囲の音、あるいは声によるコメントなどがつけば、より印象深く、また魅力的なものになる。第８の実施例では、シャッターを押す瞬間の前後の音を記憶しておき、付帯情報として写真画像情報に付与しておく。画像保存表示部では、写真画像を表示する際、付帯情報である音声情報を再生することができる。
【００２６】
第１から第８の実施例は、単独で実施することもできるし、複合して実施することもできる。
【実施例１】
【００２７】
本発明の第１の実施例を説明する。図１は、本発明の記録再生装置の第１の実施例を示すブロック図である。画像記録再生装置は、画像撮影部１０１および画像保存表示部１０２の、２つの部分から構成される。
【００２８】
画像撮影部１０１は、画像情報を取り込み、画像保存表示部１０２へ送るまでの間その情報を一時的に保存する。撮像部１０３は、画像情報を外部から取り込み、電子的な写真画像情報へと変換する。写真画像情報は、記憶部１０４に送られ、記憶される。記憶部１０４は、半導体メモリ、磁気ディスク装置、フレキシブルディスク装置、あるいは光ディスク装置で構成される。機械的可動部を持たないこと、画像保存表示部へ情報を送るまでの一時的な保存でよいことから、半導体メモリを用いたバックアップ電源付きのＩＣカードが最適である。操作入力部１０５は、画像情報を取り込むタイミングを決めるシャッター等、画像撮影部１０１に対する操作を入力する。操作入力部１０５の出力は、撮影制御部１０６に送られ、画像撮影部１０１を制御するための制御信号が作られる。時計部１０７は、年月日および時刻を出力する。画像情報が取り込まれた時の年月日および時刻は、その画像情報の付帯情報となり、画像情報と共に記憶部１０４に記憶される。
【００２９】
画像保存表示部１０２は、画像撮影部からの画像情報および付帯情報を受け取り保存すると共に、画像情報の表示を行う。画像保存表示部１０２は、インターフェイス１０８を通して画像撮影部から情報を受け取る。画像撮影部１０１の記憶部１０４が磁気ディスク装置のように取り外し出来ない場合、画像撮影部１０１と画像保存表示部１０２を直接接続し、インターフェイスを通して磁気ディスク内の画像情報および付帯情報を読み込む。画像撮影部の記憶部がＩＣカード、フレキシブルディスク、光ディスクのように取り外し可能なメディアを用いている場合には、画像保存表示部１０２のインターフェイス１０８の代わりに、各々に対応したドライブ装置をつけておけばよい。取り込まれた画像情報及び付帯情報は、記憶部１０９に保存される。画像保存表示部１０２の記憶部１０９は、画像情報及び付帯情報を半永久的に保存する必要があること、および大容量が必要なことから、磁気テープ装置、磁気ディスク装置あるいは光ディスク装置が用いられる。アクセスが速いこと、媒体が交換できることから、光ディスク装置が最適である。操作入力部１１０は、スイッチ、ペンタブレット等で、画像保存表示部１０２に対する操作を入力する。操作入力部１１０の出力は、保存表示制御部１１１に送られ、画像保存表示部１０２を制御するための制御信号が作られる。また、記憶部１０９に取り込まれた画像情報および付帯情報から、表示を行うためのアルバム情報が作られる。これらの情報については後述する。表示制御部１１２では、付帯情報およびアルバム情報に基づき表示用データを作成し、表示部１１３に送る。表示部１１３は、画像データを表示する部分で、たとえばカラーＬＣＤ（液晶ディスプレイ）を用いる。もちろん、ＣＲＴディスプレイを用いてもよいし、また画像保存表示部１０２の外にモニタを接続してもよい。
【００３０】
画像撮影部１０１から画像保存表示部１０２への情報の転送は、１枚の画像情報を取り込む度に行う必要はない。すなわち、画像撮影部１０１の記憶部１０４に記憶可能な限り続けて画像を撮影し、まとめて画像保存表示部１０２へ転送すればよい。また図１では、画像撮影部１０１と画像保存表示部１０２が分離可能であるが、もちろん一体でも構わない。その場合、画像撮影部１０１の一時記憶用の保存部１０４は必要なく、直接画像保存表示部１０２の記憶部１０９に画像情報及び付帯情報を書き込む。
【００３１】
図２に、図１に示した画像撮影部１０１内の撮像部１０３の詳細を示す。外部からの光は、絞り２０１およびレンズ２０２を通り、ＣＣＤ（電荷結合素子）２０３上に像を結ぶ。絞り制御部２０４は、図１の撮影制御部１０６からの指令に基づき絞り２０１の開口を変化させる。焦点制御部２０５は、やはり撮影制御部１０６からの指令に基づきレンズ２０２を移動させる。絞り２０１及びレンズ２０２は、ＣＣＤ２０３上に適切な露出とピントの像が結ばれるよう、図１の撮影制御部１０６により自動的に制御される。ＣＣＤ制御部２０６は、撮影制御部１０６からの指令に基づき、ＣＣＤ２０３で電気信号に変換された画像情報を記憶部へと転送する。ＣＣＤ２０３で電気信号に変換された画像情報はＥＶＦ（電子ビューファインダ）２０７へも送られ、画像情報の目視での確認を可能としている。
【００３２】
図３は、本発明における画像撮影部の外観の例を示す。画像撮影部は通常の銀塩フィルムを用いたカメラと類似の形状をしている。前面のレンズ３０１は、図２に示したレンズ２０２と同じである。このレンズは、ズームボタン３０２により駆動され、画像の取り込み範囲を変化させることが出来る。シャッターは、２段シャッターとなっており、始めに押される第１のシャッター３０３と、第１のシャッター３０３に続いて押される第２のシャッター３０４からなる。後面の液晶パネル３０５は、図２のＥＶＦ２０７の出力に用いられ、撮影しようとする画像が表示される。液晶パネル３０５はまた、画像撮影部に対する操作入力を行う際の表示パネルとしても用いられる。操作入力は、液晶パネル３０５に表示されたメニューを、入力ボタン３０６で選択することによって行う。コネクタ３０７は、図１に示した画像撮影部１０１の記憶部１０４に一時記憶された画像情報及び付帯情報を、外部に読み出す際、ケーブルを接続する。画像撮影部１０１の記憶装置１０４に、フレキシブルディスク、光ディスク、あるいはＩＣカードのような媒体が取り出せる装置を用いた場合には、これらの媒体により情報を移動させてもよい。
【００３３】
図４は、本発明における画像保存表示部の外観の例を示す。画像保存表示部は、携帯性を持たせるために、液晶パネル４０１を表示部に用い、Ａ４書類のファイルサイズ程度になっていいる。スイッチ４０２は、起動スイッチで、起動以外の操作はすべてペン入力装置４０３を用いる。液晶パネル４０１上側の左右にはスピーカ４０４を備え、音声出力も可能となっている。図４は、図１の画像保存表示部１０２の記憶部１０９として光ディスク装置を用いた例で、光ディスク４０５は側面のスロットから挿入される。コネクタ４０６にはケーブルが接続され、画像撮影部からの画像情報及び付帯情報を読み込む。図１の画像撮影部１０１の記憶部１０４が光ディスク装置の場合、光ディスクを画像保存表示部側面のスロットに挿入することにより、画像情報及び付帯情報の移動を行うことが出来る。画像撮影部１０１の記憶部１０４がフレキシブルディスク装置あるいはＩＣカード装置の場合、画像保存表示部にこれらの装置を備えれば、ケーブルを介さずに情報を移動させることもできる。
【００３４】
図５から図９は本発明における画像保存表示部での表示画面例を示す。以下画面に対する操作は、全てペンにより行う。
【００３５】
画像保存表示部を起動すると、図５の本棚の形式の初期画面が表示される。写真画像はアルバム５０１の形式に分類され、本棚５０２に並べられている。これらのアルバムは、後述の用にアルバムリストに基づいて生成される。カメラアイコン５０３をクリックすると、画像撮影部よりの画像情報及び付帯情報を取り込むモードとなる。フィルムアイコン５０４をクリックすると、画像情報及び付帯情報の集合であるフィルムリストを編集するモードに入る。白紙のアルバムアイコン５０５をクリックすると、新しいアルバムを作るモードに入り、フィルムリストからアルバムリストを生成する。フィルムリスト、アルバムリストについては後述する。終了アイコン５０６をクリックすると、システムの電源が落ちる。
【００３６】
図５において、見たいアルバムの背表紙をクリックすると、図６の画面に切り替わる。選択したアルバムが閉じた状態で表示される。ここでは、アルバムの表紙６０１の他に、編集ツールアイコン６０２と本棚アイコン６０３とページめくりアイコン６０４、６０５が表示される。なお、編集ツールアイコン６０２は選択不可にしておく。本棚アイコン６０３をクリックすると、図５に示した本棚の初期画面に戻る。ページめくりアイコン６０４、６０５をクリックすることによりアルバムを左右にめくることができる。
【００３７】
図６においてページめくりアイコン６０４をクリックすると、図７に示す目次画面７０１が表示される。目次画面は、目次名とページが対になったアイコンになっており、それをクリックするとそのページに飛ぶことができる。目次アイコンをクリックするか、ページめくりアイコン６０４をクリックすると、図８の写真画面８０１が表示される。
【００３８】
写真画面８０１は、アルバムリストが生成された直後では、図８に示すように写真が定形に配置されている。通常の写真鑑賞においては十分である。しかしながら、編集モードアイコン６０２をクリックすることにより、写真画像に対して編集操作を行うことができる。編集モードで可能な操作は、写真画像の拡大縮小、回転、トリミング、移動、あるいはペンによるコメントの書き込みなどである。編集操作を行った例を図９に示す。
【００３９】
図１０は、画像撮影部におけるデータの構造を示すものである。複数の写真情報１００１は、撮影された順に記憶部に格納されている。
【００４０】
図１１は、写真情報の詳細を示す。写真情報１００１は、画像のデータそのものである画像情報１１０１と、その画像情報に関する付帯情報１１０２からなる。画像情報１１０１は、撮影部により取り込まれた画像のデータそのものであり、また付帯情報１１０２はその画像に関する属性情報が入っている。第１の実施例では、付帯情報１１０２は、撮影された順に付与される写真番号１１０３、及び図１の時計部１０７から出力されるその写真が撮影された撮影年１１０４、撮影月１１０５、撮影日１１０６、及び撮影時刻１１０７からなる。
【００４１】
図１２に、図１０における付帯情報の一例を示す。付帯情報だけを取り出し、表形式にしたものである。
【００４２】
図１０の画像情報および付帯情報からなる写真情報は、図１の画像撮影部１０１内の記憶部１０４にある程度たまったところで、画像保存表示部１０２に転送される。画像保存表示部１０２では、転送された写真情報から図１３に示すようなフィルムリスト１３０１を生成する。フィルムリスト１３０１は、フィルムヘッダ１３０２と写真情報１００１からなり、写真情報は図１０に示したものと同様である。フィルムヘッダ１３０２は、フィルム番号１３０３とそのフィルムリストに含まれる写真枚数１３０４、転送された転送年１３０５、転送月１３０６、転送日１３０７からなる。フィルムリスト１３０１は、後述のアルバムリストを作成する元になるとともに、アルバムリストを用いて表示を行う際、フィルムリスト１３０１に含まれる画像情報を読み出して表示を行う。フィルムリスト１３０１は、図１の画像保存表示部１０２内の記憶部１０９に保存される。
【００４３】
図１４にフィルムヘッダの一例を示す。フィルムヘッダだけを取り出し、表形式にしたものである。
【００４４】
図１５に、アルバムリスト１５０１のデータ構造を示す。アルバムリスト１５０１はアルバムヘッダ１５０２と１つ以上のページリスト１５０３からなる。
【００４５】
図１６に、アルバムヘッダ１５０２のデータ構造の詳細を示す。アルバム番号１６０１は、アルバムリストが作成された順に付与され、画像保存表示部内では一意である。それに続き、アルバム名１６０２、アルバムのページ数１６０３、ページの縦幅１６０４と横幅１６０５、表紙の色１６０６および模様１６０７が含まれる。
【００４６】
図１７に、ページリスト１５０３のデータ構造の詳細を示す。ページリスト１５０３は、アルバムの１ページ毎に一つ存在する。ページリスト１５３０は、ページヘッダ１７０１および写真リスト１７０２から構成される。ページヘッダ１７０１は、そのページ番号１７０３、ページ名１７０４及びページの台紙の色１７０５からなる。ページ番号１７０３は、アルバムの何ページ目にあたるかを示すものであり、アルバムリスト１５０１内で一意である。
【００４７】
図１８に、写真リスト１７０２のデータ構造の詳細を示す。写真リスト１７０２は、そのページ内に存在する１枚の写真毎に一つ存在する。写真リスト１７０２は、コマ番号１８０１、フィルム番号１８０２、写真番号１８０３、トリム開始位置Ｘ１８０４、トリム開始位置Ｙ１８０５、トリム範囲Ｗ１８０６、トリム範囲Ｈ１８０７、拡大縮小率１８０８、回転角度１８０９、表示位置Ｘ１８１０、表示位置Ｙ１８１１からなる。コマ番号１８０１は、そのページに表示される写真の番号を示すもので、ページリスト１５０３内で一意である。例えば、１ページに３枚の写真を表示する場合、コマ番号は１から３までが存在する。フィルム番号１８０２、および写真番号１８０３は、フィルムリストおよびその中の写真を特定するものであり、表示を行う際、フィルムリストからその写真の画像情報を読み出してくる。トリム開始位置Ｘ１８０４およびトリム開始位置Ｙ１８０５は、写真のトリミングを開始する位置を、座標で指し示す。またトリム範囲Ｗ１８０６およびトリム範囲Ｈ１８０７は、トリミングの幅および高さを示し、前述のトリミング開始位置１８０４、１８０５の座標（Ｘ、Ｙ）からこの幅および高さでトリミングされる。拡大縮小率１８０８は、トリミング後の画像の表示倍率を示すものである。回転角度１８０９は、画像を何度回転させて表示するかを示すものである。表示位置Ｘ１８１０および表示位置Ｙ１８１１は、写真を表示する位置を示すページ内の座標である。
【００４８】
図１９に、アルバムリストを生成する際のフローチャートを示す。始めに、アルバム生成条件を設定１９０１する。これに基づいて、該当する写真を識別１９０２し、アルバムリストを作成１９０３し、作成したアルバムリストの記憶部への保存１９０４を行う。さらに表示を行うか判断１９０５し、表示を行わない場合にはそのまま終了する。アルバム表示を行う場合、アルバムリストに基づいてフィルムリストから画像情報を読み出してアルバム表示１９０６を行う。表示終了の際、アルバム編集などを行いアルバムリストに変更があったかを判定１９０７し、変更された場合はアルバムリストの保存１９０８を行い、そうでない場合はそのまま終了する。このフローは、図５に示した初期画面で、白紙の背表紙のアルバム５０５を選択した場合に生起し、新しいアルバムが作られる。
【００４９】
アルバムリストがすでに存在する場合のフローチャートを図２０に示す。保存表示部の記憶部からアルバムリストを読み出し２００１、これに基づいてフィルムリストから画像情報を読み出してアルバム表示２００２を行う。表示終了の際、アルバム編集などを行いアルバムリストに変更があったかを判定２００３し、変更された場合はアルバムリストの保存２００４を行い、そうでない場合はそのまま終了する。このフローは、図５に示した初期画面で、作成済みのアルバム５０１を選択した場合に生起する。
【００５０】
図２１、２１、２２および図１２を用いて、アルバムリスト作成の例を示す。図１２に示した付帯情報では、写真番号１４から２４までの撮影日が連続しており、これらの写真は例えば旅行というテーマでまとめることができるとする。そこで１３日から日付が連続している写真を一まとまりにし、かつ日付毎にページを変えててアルバムを生成するよう指定する。
【００５１】
図２１はこの条件によって生成された写真リストを表にしたものである。１１枚の写真が条件に該当し、４ページにわたり割り付けられている。斜字部分が条件にしたがって自動生成された部分であり、その他の部分はデフォルト値である。
【００５２】
図２２は図２１にかかるページリストを表にしたものである。ページ属性として、そのページの作成された条件、すなわちそのページ内の写真の取られた日付が入っている。また台紙の色はデフォルトである。ページ属性は、自由に変更できるものとする。すなわち、日付のかわりに表題などをつけることができる。
【００５３】
図２３は、図２１および図２２にかかるアルバムヘッダである。アンダーラインを引いたアルバム名の部分は、作成者が入力する部分で、そのアルバムの表示及び背表紙に表示される。
【００５４】
図２４は、このアルバムリスト、特に図２２に示したページリストに基づいて表示される目次画面の例である。図２５はアルバムの１、２ページを開いた状態の画面の例である。写真だけでなく、ページ番号およびページ属性も表示してある。
【実施例２】
【００５５】
図２５の表示例のように、画像は常に正立しているとは限らない。正立していない写真２５０１、２５０２は、表示した後に編集モードで写真を回転させてもよいが、これを自動的に行うのが本発明の第２の実施例である。以下第２から第８の実施例については、第１の実施例と異なる部分を中心に説明し、それ以外は第１の実施例と同様とする。
【００５６】
第２の実施例では、画像撮影部に撮像部の姿勢検出部を設け、写真画像の撮影時の撮像部の姿勢を付帯情報として写真画像情報に付与する。図２６は第２の実施例を示すブロック図である。姿勢検出部２６０１は、重力を基準とし、写真画像が撮影されたときに画像撮影部がどう向いているかを検出する。姿勢の分解精度はそれほど必要ではなく、例えば４５度おき程度の分解能で構わない。姿勢検出部２６０１の出力は、時計部１０７の出力と共に記憶部１０４へ送られ、その画像情報の付帯情報となり、画像情報と共に記憶部１０４に記憶される。姿勢検出部２６０１以外のブロックは、第１の実施例と同様である。
【００５７】
図２７に第２の実施例における写真情報の例を示す。付帯情報として第１の実施例に述べたものの他に、画像撮影時の撮影部の撮影姿勢２７０１が追加されている。
【００５８】
図２８に、第２の実施例における付帯情報の一例を示す。付帯情報だけを取り出し、表形式にしたものである。図１２に、撮影姿勢のコラム２８０１が追加されている。
【００５９】
図２９は、第２の実施例において、図２８の付帯情報例に基づいて作成されたアルバムリスト中の写真リストを表にしたものである。生成条件は第１の実施例と同様とした。斜字部分が条件にしたがって自動生成された部分であり、その他の部分はデフォルト値である。画像を表示するときの回転角度のコラム２９０１のデータは付帯情報中の撮影姿勢から自動的に作られる。
【００６０】
図３０は、このアルバムリスト、図２９に示した写真リストに基づいて表示されたアルバムの１、２ページを開いた状態の画面の例である。図２５と比較すると、写真が正しい向きに表示されていることが分かる。
【実施例３】
【００６１】
写真取った場合、後で見直すとどこで撮ったものか判らなくなる場合も多い。また、旅行に行った場合など、撮影した町毎に分類することも多い。
【００６２】
第３の実施例では、画像撮影部に撮影場所入力部を持ち、写真画像の撮影場所を付帯情報として写真画像情報に付与する。図３１は第３の実施例を示すブロック図である。撮影場所入力部３１０１は、写真画像を撮影する場所を外部から入力し、次の入力があるまでそれを保持する。撮影場所入力部３１０１の出力は、時計部１０７の出力と共に記憶部１０４へ送られ、写真が撮られるとその画像情報の付帯情報となり、画像情報と共に記憶部１０４に記憶される。撮影場所入力部３１０１以外のブロックは、第１の実施例と同様である。
【００６３】
図３２に第３の実施例における写真情報の例を示す。付帯情報として第１の実施例に述べたものの他に、画像撮影時の撮影場所３２０１が追加されている。
【００６４】
図３３に、第３の実施例における付帯情報の一例を示す。付帯情報だけを取り出し、表形式にしたものである。図１２に、撮影場所のコラム３３０１が追加されている。
【００６５】
図３４は、第３の実施例において、図３３の付帯情報例に基づいて作成されたアルバムリスト中の写真リストを表にしたものである。生成条件は、撮影場所が「千葉」であるものとした。斜字部分が条件にしたがって自動生成された部分であり、その他の部分はデフォルト値である。
【実施例４】
【００６６】
一つの画像撮影部を複数の人で用いた場合、各人の撮った写真が混合してしまう。特に画像撮影部の記憶容量が大きく、数百枚の画像が入る様になると、この傾向が強くなる。
【００６７】
第４の実施例では、画像撮影部に撮影者入力部を持ち、写真画像の撮影者を付帯情報として写真画像情報に付与する。図３５は第４の実施例を示すブロック図である。撮影者入力部３５０１は、写真画像を撮影する人を外部から入力し、次の入力があるまでそれを保持する。撮影者入力部３５０１の出力は、時計部１０７の出力と共に記憶部１０４へ送られ、写真が撮られるとその画像情報の付帯情報となり、画像情報と共に記憶部１０４に記憶される。撮影者入力部３５０１以外のブロックは、第１の実施例と同様である。
【００６８】
図３６に第４の実施例における写真情報の例を示す。付帯情報として第１の実施例に述べたものの他に、画像の撮影者３６０１が追加されている。
【００６９】
図３７に、第４の実施例における付帯情報の一例を示す。付帯情報だけを取り出し、表形式にしたものである。図１２に、撮影者のコラム３７０１が追加されている。
【００７０】
図３８は、第３の実施例において、図３７の付帯情報例に基づいて作成されたアルバムリスト中の写真リストを表にしたものである。生成条件は、撮影者が「松本  潔」であるものとした。斜字部分が条件にしたがって自動生成された部分であり、その他の部分はデフォルト値である。
【実施例５】
【００７１】
シャッターを押した瞬間に目をつぶってしまう等、シャッターチャンスを逃してしまうことはよくある。第５の実施例では、主たる写真画像の撮影された瞬間の近傍の時間において、副なる写真画像を撮影し、主たる写真画像の付帯情報として主たる写真画像情報に付与する。さらに、この主たる写真画像情報あるいは付帯情報である副なる写真画像情報の中から所望の画像を選択し、画像保存表示部で表示を行う。
【実施例６】
【００７２】
写真を後でみると、焦点がずれていることはよくある。第６の実施例では、主たる写真画像の撮影された瞬間の近傍の時間において、焦点を変えた副なる写真画像を撮影し、主たる写真画像の付帯情報として主たる写真画像情報に付与する。さらに、この主たる写真画像情報あるいは付帯情報である副なる写真画像情報の中から所望の画像を選択し、画像保存表示部で表示を行う。
【実施例７】
【００７３】
写真を後でみると、絞りが適正でないことはよくある。第７の実施例では、主たる写真画像の撮影された瞬間の近傍の時間において、絞りを変えた副なる写真画像を撮影し、主たる写真画像の付帯情報として主たる写真画像情報に付与する。さらに、この主たる写真画像情報あるいは付帯情報である副なる写真画像情報の中から所望の画像を選択し、画像保存表示部で表示を行う。
【００７４】
図３９は、第５、６及び第７の実施例における記録再生装置を示すブロック図である。画像撮影部３９０１において、撮像部３９０２は、画像を外部から取り込み、電子的な画像情報へと変換する。画像情報はバッファ３９０３に送られ、蓄えられる。バッファ３９０３は複数枚の写真画像を蓄えることができる。差分演算器３９０４はバッファ３９０３からの画像情報を読みだし、画像同士の差分演算を行う。差分演算器３９０４は、差分演算を行わずに、画像情報を通過させる機能も持つ。差分演算器３９０４の出力は画像圧縮部３９０５へ送られ、圧縮される。画像圧縮部３９０５の出力は記憶部３９０６に送られ、記憶される。時計部３９０７、記憶部３９０６については、第１の実施例と同様である。画像保存表示部３９０８については、画像伸長部３９０９を設けた。これは、画像撮影部３９０１において圧縮された画像の伸長を行うためである。その他の部分については第１の実施例と同様である。
【００７５】
図４０および図２、図３、図３９を用いて第５の実施例の動作を説明する。図３に示した画像撮影部において、第１のシャッター３０３が押されると、図２の絞り制御部２０４及び焦点制御部２０５が動作を始め、被写体に自動的に絞り及び焦点が合わせられる。その後、図３９の撮像部からの情報がある時間間隔、例えば０．３秒間隔をおいてバッファ３９０３に取り込まれる。バッファ３９０３はＦＩＦＯ（First In First Out）となっており、バッファ３９０３が一杯になると古い画像情報から破棄される。図３の第２のシャッター３０４が押されると、そのときの画像を主たる画像とし、取り込むと共に、その後の画像を数画面取り込む。その後、主たる画像を基準画像とし、その前後の副たる画像と間で、差分演算器３９０４により演算を行う。図４０は、基準画像およびその前後の２つづつの画像を用いる例である。第２のシャッター３０４が押された時の主たる画像を基準画像４００１とし、その前の画像ー２（４００２）、画像ー１（４００３）、その後の画像＋１（４００４）、画像＋２（４００５）をバッファ３９０３にためる。バッファ３９０３は、まず基準画像４００１を差分演算器３９０４に送る。差分演算器３９０４は、この画像を通過させ、画像圧縮部３９０５に送る。差分演算器３９０４は、次に画像ー１（４００３）と基準画像４００１の差分を演算し、その結果を画像圧縮部３９０５に送る。同様に、画像＋１（４００４）、画像ー２（４００２）、画像＋２（４００５）と基準画像との差分をそれぞれ計算し、画像圧縮部３９０５に送る。画像圧縮部３９０５では送られてきた画像を圧縮し、記憶部３９０６へと送る。
【００７６】
図４１および図２、図３、図３９を用いて第６および第７の実施例の動作を説明する。図３に示した画像撮影部において、第１のシャッター３０３押されると、図２の絞り制御部２０４及び焦点制御部２０５が動作を始め、被写体に自動的に絞り及び焦点が合わせられる。第２のシャッター３０４が押されると、そのときの画像を主たる画像とし、取り込むと共に、その後の画像を数画面、短い時間間隔で、副たる画像として取り込む。副たる画像については、主たる画像を取り込んだ時に比べ、第６の実施例では焦点を、第７の実施例では絞りをずらして取り込む。画像を取り込んだ後、主たる画像を基準画像とし、副たる画像との間で差分演算器３９０４により演算を行う。図４１は、主たる画像を基準画像とし、その後の４つの副たる画像を用いる例である。第２のシャッター３０４が押された時の主たる画像を基準画像４１０１とし、その後ろの画像−１（４１０２）、画像＋１（４１０３）、画像−２（４１０４）、画像＋２（４１０５）をバッファ３９０３にためる。−は焦点あるいは絞りを負の方向に、＋は正の方向に動かすことを示す。１及び２は、動かす程度を示す。すなわち、＋２は＋１より正の方向に大きく動かすことを示す。バッファ３９０３は、まず基準画像４１０１を差分演算器３９０４に送る。差分演算器３９０４は、この画像を通過させ、画像圧縮部３９０５に送る。差分演算器３９０４は、次に画像−１（４１０２）と基準画像４１０１の差分を演算し、その結果を画像圧縮部３９０５に送る。同様に、画像＋１（４１０３）、画像ー２（４１０４）、画像＋２（４１０５）と基準画像との差分をそれぞれ計算し、画像圧縮部３９０５に送る。画像圧縮部３９０５では送られてきた画像を圧縮し、記憶部３９０６へと送る。
【００７７】
図４２は、第５、６及び第７の実施例における写真情報のデータ構造を示す図である。画像情報４２０１の中に、基準画像（４００１または４１０１）を圧縮した基準情報が入り、付帯情報の中に、画像−１（４００３または４１０２）、画像＋１（４００４または４１０３）、画像−２（４００２または４１０４）、画像＋２（４００５または４１０５）と基準画像（４００１または４１０１）の差分を圧縮した、差分情報−１（４２０２）、差分情報＋１（４２０３）、差分情報−２（４２０４）、差分情報＋２（４２０５）が並んでいる。
【００７８】
図４３は、第５、６及び第７の実施例におけるアルバムリスト内の写真リストを表にした例である。表示番号のコラム４３０１が設けられている以外は、第１の実施例と同様である。アルバムリストが生成された直後は、表示番号はデフォルトの０が入っている。すなわちこれは、主たる画像が表示されることを示す。しかしながら主たる画像の写りがよくなく、副たる画像の方がよい場合、副たる画像を選択することができる。この選択された副たる画像の番号を、表示番号のコラムに記録しておく。図４３中のアンダーラインを引いた数字がその例である。次回アルバムリストを読みだし、アルバム表示を行う際には、その写真については、主たる画像ではなく副たる画像が表示される。
【実施例８】
【００７９】
写真は静止画であるが、これに撮影したときの周囲の音、あるいは声によるコメントなどがつけば、より印象深く、また魅力的なものになる。第８の実施例では、写真画像の撮影された瞬間の近傍の時間において、撮影場所での音声情報を録音し、写真画像の付帯情報として写真画像情報に付与する。さらに、この写真画像情報を表示する際、付帯情報である音声情報を再生することができる。
【００８０】
図４４は、第８の実施例における記録再生装置を示すブロック図である。画像撮影部４４０１には、マイク４４０２を備え、音声を取を外部から取り込み、電子的な音声情報へと変換する。音声情報はバッファ４４０３に送られ、蓄えられる。バッファ４４０３は１０秒程度の音声情報を蓄えることができる。バッファ４４０３の出力は、撮像部からの画像情報と共に記憶部４４０５に送られ、記憶される。他の部分については、第１の実施例と同様である。画像保存表示部４４０７については、音声出力部４４０８を設けた。これは、音声情報の再生を行うためである。その他の部分については第１の実施例と同様である。
【００８１】
図４５および図３、図４４を用いて第８の実施例の動作を説明する。図３に示した画像撮影部において、第１のシャッター３０３押されると、図４４のマイク４４０２からの音声４５０１がバッファ４４０３に取り込まれ始める。バッファ４４０３はＦＩＦＯ（First In First Out）となっており、バッファ４４０３が一杯になると古い画像情報から破棄される。図３の第２のシャッター３０４が押されると、撮影画像を取り込むと共に、その後の音声４５０１を数秒間取り込む。その後、画像を撮影した瞬間の前後の音声４５０１をバッファ４４０３から取り出し、画像情報と共に記憶部４４０５へと送る。
【００８２】
図４６は、第８の実施例における写真情報のデータ構造を示す図である。付帯情報の中に、音声情報４６０１が付与される。
【００８３】
図４７は、第８の実施例におけるアルバムリスト内の写真リストを表にした例である。音声情報のコラム４７０１が設けられている以外は、第１の実施例と同様である。アルバムリストを生成するとき、音声情報の存在を調べ、音声情報が存在する場合には１、存在しない場合には０を入れる。アルバム表示の際この音声情報のコラム４７０１を調べ、音声が存在する写真については、音声を再生することができる。
【００８４】
以上第１から第８の実施例は、独立して実施することもできるし、複合して実施することもできる。
【図面の簡単な説明】
【００８５】
【図１】第１の実施例のブロック図。
【図２】撮像部の詳細ブロック図。
【図３】画像撮影部の外観の例を示す平面図。
【図４】画像保存表示部の外観の例を示す平面図。
【図５】画面表示例を示す平面図。
【図６】画面表示例を示す平面図。
【図７】画面表示例を示す平面図。
【図８】画面表示例を示す平面図。
【図９】画面表示例を示す平面図。
【図１０】画像撮影部におけるデ−タ構造図。
【図１１】写真情報の詳細デ−タ構造図。
【図１２】付帯情報の例を示すチャート図。
【図１３】フィルムリストのデ−タ構造図。
【図１４】フィルムヘッダの例を示すチャート図。
【図１５】アルバムリストのデ−タ構造図。
【図１６】アルバムヘッダのデ−タ構造図。
【図１７】ペ−ジリストのデ−タ構造図。
【図１８】写真リストのデ−タ構造図。
【図１９】アルバムリスト生成のフロ−チャ−ト図。
【図２０】アルバムリスト存在時の表示のフロ−チャ−ト図。
【図２１】写真リストの例を示す表図。
【図２２】ペ−ジリストの例を示す表図。
【図２３】アルバムヘッダの例を示す表図。
【図２４】目次画面の例を示す平面図。
【図２５】画面表示例を示す平面図。
【図２６】第２の実施例のブロック図。
【図２７】写真情報の例を示すデ−タ構成図。
【図２８】付帯情報の例。
【図２９】写真リストの例。
【図３０】表示画面例。
【図３１】第３の実施例のブロック図。
【図３２】写真情報の例。
【図３３】付帯情報の例。
【図３４】写真リストの例。
【図３５】第４の実施例のブロック図。
【図３６】写真情報の例。
【図３７】付帯情報の例。
【図３８】写真リストの例。
【図３９】第５、６、７の実施例のブロック図。
【図４０】第５の実施例の動作を説明する図。
【図４１】第６、７の実施例の動作を説明する図。
【図４２】写真情報のデ−タ構造。
【図４３】写真リストの例。
【図４４】第８の実施例のブロック図。
【図４５】第８の実施例の動作を説明する図。
【図４６】写真情報のデ−タ構造図。
【図４７】写真リストの例を示す表図。
【符号の説明】
【００８６】
１０１…画像撮影部、１０２…画像保存表示部、１０３…撮像部、１０４…記憶部、１０５…操作入力部、１０６…撮影制御部、１０７…時計部、１０８…インタ−フェイス、１０９…記憶部、１１０…操作入力部、１１１…保存表示制御部、１１２…表示制御部、１１３…表示部、２０１…絞り、２０２…レンズ、２０３…ＣＣＤ、２０４…絞り制御部、２０５…焦点制御部、２０６…ＣＣＤ制御部、２０７…ＥＶＦ、３０１…レンズ、３０２…ズ−ムボタン、３０３…第１のシャッタ−、３０４…第２のシャッタ−、３０５…液晶パネル、３０６…操作ボタン、３０７…コネクタ、４０１…液晶パネル、４０２…スイッチ、４０３…ペン入力装置、４０４…スピ−カ、４０５…光ディスク、４０６…コネクタ、５０１…アルバムアイコン、５０２…本棚、５０３…カメラアイコン、５０４…フィルムアイコン、５０５…白紙アイコン、５０６…終了アイコン、６０１…表紙、６０２…編集アイコン、６０３…本棚アイコン、６０４…めくりアイコン、６０５…めくりアイコン、１００１…写真情報、１１０１…画像情報、１１０２…付帯情報、１３０１…フィルムリスト、１３０２…フィルムヘッダ、１５０１…アルバムリスト、１５０２…アルバムヘッダ、１５０３…ペ−ジリスト、１７０１…ペ−ジヘッダ、１７０２…写真リスト、２６０１…姿勢検出部、２７０１…姿勢情報、３１０１…撮影場所入力部、３２０１…撮影場所、３５０１…撮影者入力部、３６０１…撮影者、３９０１…画像撮影部、３９０２…撮像部、３９０３…バッファ、３９０４…差分演算器、３９０５…画像圧縮部、３９０６…記憶部、３９０７…時計部、３９０８…画像保存表示部、３９０９…画像伸長部、４００１…基準画像、４１０１…基準画像、４２０１…画像情報、４４０１…画像撮影部、４４０２…マイク、４４０３…バッファ、４４０４…撮像部、４４０５…記憶部、４４０６…時計部、４４０７…画像保存表示部、４４０８…音声出力部、４５０１…音声、４６０１…音声情報。
【図１】
0003915818.tif 000002
【図２】
0003915818.tif 000003
【図３】
0003915818.tif 000004
【図４】
0003915818.tif 000005
【図５】
0003915818.tif 000006
【図６】
0003915818.tif 000007
【図７】
0003915818.tif 000008
【図８】
0003915818.tif 000009
【図９】
0003915818.tif 000010
【図１０】
0003915818.tif 000011
【図１１】
0003915818.tif 000012
【図１２】
0003915818.tif 000013
【図１３】
0003915818.tif 000014
【図１４】
0003915818.tif 000015
【図１５】
0003915818.tif 000016
【図１６】
0003915818.tif 000017
【図１７】
0003915818.tif 000018
【図１８】
0003915818.tif 000019
【図１９】
0003915818.tif 000020
【図２０】
0003915818.tif 000021
【図２１】
0003915818.tif 000022
【図２２】
0003915818.tif 000023
【図２３】
0003915818.tif 000024
【図２４】
0003915818.tif 000025
【図２５】
0003915818.tif 000026
【図２６】
0003915818.tif 000027
【図２７】
0003915818.tif 000028
【図２８】
0003915818.tif 000029
【図２９】
0003915818.tif 000030
【図３０】
0003915818.tif 000031
【図３１】
0003915818.tif 000032
【図３２】
0003915818.tif 000033
【図３３】
0003915818.tif 000034
【図３４】
0003915818.tif 000035
【図３５】
0003915818.tif 000036
【図３６】
0003915818.tif 000037
【図３７】
0003915818.tif 000038
【図３８】
0003915818.tif 000039
【図３９】
0003915818.tif 000040
【図４０】
0003915818.tif 000041
【図４１】
0003915818.tif 000042
【図４２】
0003915818.tif 000043
【図４３】
0003915818.tif 000044
【図４４】
0003915818.tif 000045
【図４５】
0003915818.tif 000046
【図４６】
0003915818.tif 000047
【図４７】
0003915818.tif 000048